(57)【特許請求の範囲】
【請求項１】
矩形状の底板の対向する一対の辺にそれぞれ回動自在に取付けた一対の第１の側板と、対向する他の一対の辺に回動自在に取付けた一対の第２の側板とを、一対の第１の側板を倒した上に一対の第２の側板を倒した状態で折り畳み且つ一対の第２の側板を起立させた後に一対の第１の側板を起立させて箱形状に組み立てる折り畳みコンテナであって、第１の側板に側端部から外側方に突出するロック部を設け、第２の側板に起立状態で第１の側板に設けたロック部がはめ込まれるロック受け部を設け、少なくとも第２の側板に多数の孔を形成すると共に、第２の側板が起立して内側にやや傾いた状態で第１の側板を回動する際に該第１の側板の側端部から外側方に突出するロック部の先端が描く回動軌跡に対応する第２の側板の内面部をロック部の先端が摺接移動可能な摺接案内面として成ることを特徴とする折り畳みコンテナ。
【請求項２】
第１の側板の側端部から外側方に突出したロック部を上下移動自在に設け、第２の側板の内面の側端部にロック受け部を突設し、このロック受け部に突出先端面に上下に開口する突出先端開口部を有し且つ第２の側板の内面に沿った方向において上部又は下部に出し入れ用開口部を有する縦断面略Ｌ状をしたＬ状溝部を形成し、第２の側板が起立した状態で第１の側板のロック部をＬ状溝部の出し入れ用開口部から出し入れ自在とし、ロック部がＬ状溝部内に位置した状態でロック部が出し入れ用開口部に対向する位置に位置した状態がロック解除状態、出し入れ用開口部に対向しない位置に位置している状態がロック状態となるように設定することを特徴とする請求項１記載の折り畳みコンテナ。
【発明の詳細な説明】
【０００１】
【発明の属する技術分野】
本発明は、折り畳みコンテナ、特に口枠無しのタイプの折り畳みコンテナに関するものである。
【０００２】
【従来の技術】
従来から、矩形状の底板の対向する一対の辺にそれぞれ回動自在に取付けた一対の第１の側板と、対向する他の一対の辺に回動自在に取付けた一対の第２の側板とを、一対の第１の側板を倒した上に一対の第２の側板を倒した状態で折り畳み且つ一対の第２の側板を起立させた後に一対の第１の側板を起立させて箱形状に組み立てる口枠無しの折り畳みコンテナが知られている。
【０００３】
このような折り畳みコンテナにおいては、重量を軽くし且つ合成樹脂材料の使用量を削減したり、あるいは箱状に組み立てた状態における通気性を確保したりするために底板、第１の側板、第２の側板に多数の孔を形成することが行われている。
【０００４】
また、従来の折り畳みコンテナにおいては第１の側板にロック部を横方向に移動自在に設け、第１の側板を回動する際にはロック部を第１の側板内に引き込ませた状態で回動して第１の側板の側端部を先に起立させている第２の側板の内面部の側端に対向させ、この状態でロック部を横方向に突出させる操作を行ってロック部を先に起立させている第２の側板のロック溝に嵌め込んでロックするようにしていた。
【０００５】
ところが、このような従来例においては、ロック部を第１の側板を回動する際に第１の側板内に引き込ませて回動しているのであるが、誤ってロック部が第１の側板から突出した状態で回動すると前述のように先に起立している第２の側板に多数の孔が形成してあるため先に起立させている第２の側板が垂直姿勢でなく、少しでも内側に傾くような姿勢となっていると、ロック部の先端が孔に引っ掛かってスムーズに回動できないという問題があった。また、上記従来例にあっては、第１の側板を回動して起立させた後に、ロックのためにロック部を第１の側板の側端部よりも外側方に突出させる操作を必要として操作が面倒となるものである。
【０００６】
そこで、本発明の発明者は本発明に至る過程で、第１の側板を回動する際に、ロック部を第１の側板よりも外側方に突出させた状態で回動するようなことを考えた。これだと、起立させた後にロック部を外側方に突出させる操作を必要としないが、このように、ロック部を第１の側板よりも外側方に突出させた状態で回動しようとすると、前述のように先に起立している第２の側板に多数の孔が形成してあるため、先に起立させている第２の側板が垂直姿勢でなく、少しでも内側に傾くような姿勢となっていると、ロック部の先端が孔に引っ掛かってスムーズに回動できないという事態が発生し、組み立て、折り畳みがし難いということが判明した。
【０００７】
【発明が解決しようとする課題】
本発明は上記の問題点に鑑みて発明したものであり、第１の側板を回動させる際に先に起立させている多数の孔を設けた第２の側板にロック部が引っ掛かることなく、スムーズに回動でき、また、第１の側板を回動させてロック部をロックさせるに当たって、ロック部を第１の側板から突出させる操作を必要とせず、組み立て作業が容易となる折り畳みコンテナを提供することを課題とするものである。
【０００８】
【課題を解決するための手段】
上記課題を達成するため本発明の折り畳みコンテナは、矩形状の底板１の対向する一対の辺にそれぞれ回動自在に取付けた一対の第１の側板２ａと、対向する他の一対の辺に回動自在に取付けた一対の第２の側板２ｂとを、一対の第１の側板２ａを倒した上に一対の第２の側板２ｂを倒した状態で折り畳み且つ一対の第２の側板２ｂを起立させた後に一対の第１の側板２ａを起立させて箱形状に組み立てる折り畳みコンテナ３であって、第１の側板２ａに側端部から外側方に突出するロック部４を設け、第２の側板２ｂに起立状態で第１の側板２ａに設けたロック部４がはめ込まれるロック受け部５を設け、少なくとも第２の側板２ｂに多数の孔６を形成すると共に、第２の側板２ｂが起立して内側にやや傾いた状態で第１の側板２ａを回動する際に該第１の側板２ａの側端部から外側方に突出するロック部４の先端が描く回動軌跡に対応する第２の側板２ｂの内面部をロック部４の先端が摺接移動可能な摺接案内面７として成ることを特徴とするものである。このような構成とすることで、第１の側板２ａを回動する際に、先に起立させている多数の孔６を形成した第２の側板２ｂが垂直姿勢でなく、内側に傾くような姿勢となって第１の側板２ａの側端部から外側方に突出するロック部４の先端が第２の側板２ｂの内面に当たるような場合が生じてもロック部４の先端が摺接案内面７をガイドとして移動できて孔６に引っ掛かることなくスムーズに回動できることになる。また、第１の側板２ａを回動させてロック部４をロックさせるに当たって、ロック部４を第１の側板２ａから突出させる操作を必要とせず、組み立て作業が容易となるものである。
【０００９】
また、第１の側板２ａの側端部から外側方に突出したロック部４を上下移動自在に設け、第２の側板２ｂの内面の側端部にロック受け部５を突設し、このロック受け部５に突出先端面に上下に開口する突出先端開口部９を有し且つ第２の側板２ｂの内面に沿った方向において上部又は下部に出し入れ用開口部１０を有する縦断面略Ｌ状をしたＬ状溝部１１を形成し、第２の側板２ｂが起立した状態で第１の側板２ａのロック部４をＬ状溝部１１の出し入れ用開口部１０から出し入れ自在とし、ロック部４がＬ状溝部１１内に位置した状態でロック部４が出し入れ用開口部１０に対向する位置に位置した状態がロック解除状態、出し入れ用開口部１０に対向しない位置に位置している状態がロック状態となるように設定することが好ましい。このような構成とすることで、ロック部４のロック受け部５へのロック、ロック解除がいずれもロック部４の上下方向の移動により行えるものであり、これにより、第１の側板２ａを回動して起立させたり倒したりするために第１の側板２ａの上端部を手で掴んだまま、指を上下方向に移動させることでロック部４を上下方向に移動する動作ができるものであって、簡単な操作で第１の側板２ａの上端部を手で掴んで行う回動操作に連続してロック操作ができると共に、第１の側板２ａの上端部を手で掴んだ状態でロック部４を上下方向に移動させてロックを解除させて第１の側板２ａの上端部を手で掴んだまま第１の側板２ａを倒す動作を行うことができるものである。
【００１０】
【発明の実施の形態】
以下本発明の実施形態につき説明する。
【００１１】
本発明の折り畳みコンテナ３は、図１乃至図６に示すように、合成樹脂製の矩形状の底板１の対向する一対の辺にそれぞれ一対の第１の側板２ａを回動自在に取付け、対向する他の一対の辺に一対の第２の側板２ｂを回動自在に取付けてあり、一対の第１の側板２ａを倒した上に一対の第２の側板２ｂを倒した状態で折り畳み且つ一対の第２の側板２ｂを起立させた後に一対の第１の側板２ａを起立させて箱形状に組み立てるようになっている。
【００１２】
折り畳みコンテナ３は重量を軽くし且つ合成樹脂材料の使用量を削減したり、あるいは箱状に組み立てた状態における通気性を確保したりするために底板１、一対の第１の側板２ａ、一対の第２の側板２ｂには略全面にわたって多数の孔６が形成してある。
【００１３】
折り畳みコンテナ３は底板１が長方形をしていて折り畳んだ際に平面視長方形となり且つ箱状に組み立てた際に平面視長方形の箱となるタイプのものと、底板１が正方形をしていて折り畳んだ際に平面視正方形となり且つ箱状に組み立てた際に平面視正方形の箱となるタイプのものとがあり、本発明においては上記いずれのタイプの折り畳みコンテナであってもよいものであるが、添付図面には底板１が長方形をしている実施形態を示している。以下、底板１が長方形の場合を例として説明する。そして、以下の説明においては、第１の側板２ａを短辺側の側板とし、第２の側板２ｂを長辺側の側板として説明する。もちろん、本発明においては第１の側板２ａが長辺側の側板、第２の側板２ｂが短辺側の側板であってもよい。
【００１４】
合成樹脂製の長方形状の底板１の対向する短辺側の辺には第１の側板２ａである短辺側の側板が回動自在に取付けてあり、また、底板１の対向する長辺側の辺には第２の側板２ｂである長辺側の側板が回動自在に取付けてある。
【００１５】
短辺側の側板である第１の側板２ａは図６に示すように、上下方向の長さが底板１の長辺側の長さの１／２以下の長さとなっていて、回動して折り畳んだ場合、対となった第１の側板２ａ同士が重複しないようになっている。また、添付図面の実施形態では長辺側の側板である第２の側板２ｂは図４に示すように、上下方向の長さが底板１の短辺側の長さの１／２以下の長さとなっていて、回動して折り畳んだ場合、対となった第２の側板２ｂ同士が重複しないようになっている。
【００１６】
第１の側板２ａ、第２の側板２ｂはいずれも下端部を図９、図１０に示すように、横軸部１２ａ、１２ｂにより底板１に回動自在に取付けてある。
【００１７】
ここで、対となった第１の側板２ａの底板１への各枢支部分の高さ位置（横軸部１２ａ、１２ａの高さ位置）は同じ高さ位置となっている。また、対となった第２の側板２ｂの底板１への各枢支部分の高さ位置（横軸部１２ｂ、１２ｂの高さ位置）は同じ高さ位置となっている。そして、第１の側板２ａの底板１への枢支位置（横軸部１２ａ、１２ｂの高さ位置）と第２の側板２ｂの底板１への枢支部分の高さ位置（横軸部１２ａ、１２ａの高さ位置）とは高さを違わせてあり、第１の側板２ａの枢支部分の高さ位置よりも第２の側板２ｂの枢支部分の高さ位置を高くしてあり、折り畳むに当たっては、先に底板１の上に第１の側板２ａを折り畳み、次に、後から第２の側板２ｂを折り畳んで一対の第１の側板２ａの上に一対の第２の側板２ｂを重ねるようになっている。
【００１８】
添付図面に示す実施形態においては、底板１の上面部の一方の一対の対向する辺には立ち上がり突部１３ａが設けてあり、他方の一対の対向する辺には立ち上がり突部１３ｂが設けてあり、立ち上がり突部１３ａよりも立ち上がり突部１３ｂの方が高さが高いものである。この立ち上がり突部１３ａ部分において上記第１の側板２ａを横軸部１２ａにより軸支してあり、立ち上がり突部１３ｂ部分において上記第２の側板２ｂを横軸部１２ｂにより軸支してある。
【００１９】
ここで、添付図面に示す実施形態においては、折り畳み時に先に倒す一対の第１の側板２ａは倒した状態で第１の側板２ａ同士が重ならず且つ該第１の側板２ａを底板１に対して略平行に当接又は該第１の側板２ａと底板１とが僅かな小隙間を介して対向するように設定してある。このように構成することで、折り畳んだ状態における折り畳みコンテナ３の嵩を低くすることができるものである。
【００２０】
第１の側板２ａ、第２の側板２ｂにはそれぞれ上部の中央に把持孔３５、３６が設けてある。
【００２１】
第１の側板２ａの両側の外面部には第１の側板２ａの面と直交する方向に突出した嵌め込み突部１４が上下方向に複数個突設してある。
【００２２】
また、第１の側板２ａの上端部にはロック部４が設けてあり、ロック部４は第１の側板２ａの両端面部から外側方に突出している。第１の側板２ａの外面部の上端部には横方向に長い凹所１５が設けてある。第１の側板２ａの凹所１５の両側のリブ１７には凹所１５の上下巾とほぼ同じ長さの孔１８が形成してあり、また、複数個の嵌め込み突部１４のうち上記孔１８に対向する嵌め込み突部１４には上記孔１８に対応して同じ上下長さの孔１９が形成してある。また、リブ１７の突出先端には第１の側板２ａの面に平行に外面片２６が形成してあり、この外面片２６に窓２７が設けてあり、窓２７の側縁と外面片２６の側端縁との間が抜け止め片２８となっている。
【００２３】
ロック部４は図１２乃至図１６に示すようなもので、係止用開口２０を有する連結部２１と、連結部２１に横方向に連設した抜け止め溝２２を有する抜け止め部２３と、抜け止め部２３から側方に連設したロック棒部２４とで構成してある。
【００２４】
また、ロック操作部材１６は横方向に長尺となったもので、両端部に係止突起部２５が設けてあり、長手方向の中央部に指掛用凹部１６ａが形成してある。
【００２５】
そして、ロック部４をロック棒部２４を先にして凹所１５内から両側のリブ１７の孔１８にそれぞれ差し込んで孔１９を貫通してロック部４のロック棒部２４の先端部を第１の側板２ａの外側面から外側方に突出させ、この状態で抜け止め溝２２が抜け止め片２８に嵌め込まれてロック部４は孔１８、１９に沿って上下移動はできるが横方向にずれないようになっている。
【００２６】
上記のようにして第１の側板２ａの上端部両側に外側方に突出させ且つ上下移動自在にロック部４を取付け、この状態で、凹所１５にロック操作部材１６を配置し、ロック操作部材１６の両端部の係止部２０をそれぞれロック部４の係止用開口２０に係止することでロック操作部材１６の両端部にロック部４を連結するものである。
【００２７】
ロック操作部材１６は凹所１５よりも上下巾が狭くて凹所１５内で上下移動自在となっており、このため、ロック操作部材１６を上方方向に移動操作することで両側に連結したロック部４を上下方向に移動することができるようになっている。ここで、ロック部４乃至ロック操作部材１６は上方又は下方のいずれかに向けてばね２９によりばね力を付勢してあり、添付図面に示す実施形態ではロック部４に一体に板状をしたばね２９を形成し、ばね２９の先端を凹所１５の下面に押し当てることでロック部４を上方に弾性的に押し上げている。したがって、ロック部４と連結されたロック操作部材１６も上方に押し上げられている。
【００２８】
第２の側板２ｂの内面の側端部には図７に示すように第２の側板２ｂの内面に対して直交する方向に突部３０が突設してあり、この突部３０は平面視段状をしていて、突出長さの短い短突部３１とこの短突部３１よりも第２の側板２ｂの横方向の外方にずれた位置から突出する突出長さの長い端突部３２とで構成してある。
【００２９】
上記突出長さの短い短突部３１の上部にはロック受け部５が形成してあり、ロック受け部５には突出先端面に上下に開口する突出先端開口部９を有し且つ第２の側板２ｂの内面に沿った方向において上部又は下部（添付図面に示す実施形態では下部）に出し入れ用開口部１０を有する縦断面略Ｌ状をしたＬ状溝部１１が設けてある。Ｌ状溝部１１の出し入れ用開口部１０よりも上部の溝は被ロック部３８となっている。この被ロック部３８となる溝の外側壁の外面は傾斜した傾斜導入面３９となっている。この傾斜導入面３９は第２の側板２ｂを先に起立させた状態で第１の側板２ａを回動した際にばね２９で押し上げられた状態のロック部４の回動軌跡上に位置している。
【００３０】
突出長さの長い端突部３２には上下方向に複数個の嵌め込み孔部３４が形成してある。
【００３１】
前述のように折り畳みコンテナ３は重量を軽くし且つ合成樹脂材料の使用量を削減したり、あるいは箱状に組み立てた状態における通気性を確保したりするために底板１、一対の第１の側板２ａ、一対の第２の側板２ｂには略全面にわたって多数の孔６が形成してあるが、ここで本発明においては、第２の側板２ｂが起立した状態で第１の側板２ａを回動する際にロック部４の先端が描く回動軌跡に対応する第２の側板２ｂの内面部にロック部４の先端が摺接移動可能な摺接案内面７を形成してある。
【００３２】
上記のような構成の折り畳みコンテナ３において、折り畳みコンテナ３を箱状に組み立てるに当たっては、第２の側板２ｂの把持孔３６に指先を入れて第２の側板２ｂの上端部を掴んで第２の側板２ｂを回動させて起立させる。次に、第１の側板２ａの把持孔３５に指を入れて第１の側板２ａの上端部を掴んで第１の側板２ａを回動して起立させる。このように第１の側板２ａを回動して起立させるとばね２９で押し上げられた状態のロック部４のロック棒部２４がロック受け部５の傾斜導入面３９に当たるので、この状態で更に第１の側板２ａを回動する力を与えるとロック棒部２４が傾斜導入面３９に沿って下降し、傾斜導入面３９の下方の出し入れ用開口部１０からＬ状溝部１１内に入り、ロック棒部２４がＬ状溝部１１内に入るとばね２９のばね力により上方に押し上げられてＬ状溝部１１内の上部の被ロック部３８に嵌め込まれてロック状態となり、第１の側板２ａが回動できず、起立状態が保持される。この第１の側板２ａを起立させた状態では、更に、第１の側板２ａの両側の外面部に設けた複数の嵌め込み突部１４がそれぞれ、第２の側板２ｂの端突部３２に設けた複数の嵌め込み孔部３４に嵌め込まれ、これにより第２の側板２ａが回動できず、起立状態が保持される。
【００３３】
このようにして折り畳みコンテナ３を図１乃至図３に示すように箱状に組み立てるものである。
【００３４】
一方、箱状に組み立てた折り畳みコンテナ３を折り畳むに当たっては、第１の側板２ａに上下移動自在に取付けたロック操作部材１６の指掛用凹部１６ａに指を掛けてばね２９に抗してロック操作部材１６を下方に下げることでロック部４を下げてロック棒部２４をＬ状溝部１１の下部に位置させて非ロック状態とし、この状態のまま第１の側板２ａの上端部を掴んでを回動させることで、ロック棒部２４が出し入れ用開口部１０から出て第１の側板２ａを回動させることができるものであり、このようにして一対の第１の側板２ａを底板１の上面に重ねるように倒す。次に、一対の第２の側板２ｂの上端部を掴んで回動することで先に倒している一対の第１の側板２ａの上に一対の第２の側板２ｂを重ね、図４乃至図６に示すように折り畳みコンテナ３をコンパクトな状態に折り畳むものである。
【００３５】
ところで、上記のようにして折り畳みコンテナ３の組み立て時、第１の側板２ａを回動する際第２の側板２ｂが垂直姿勢で起立している場合にはロック部４のロック棒部２４の先端は第２の側板２ｂの内面部に当たらないようにあらかじめロック棒部２４の先端の突出位置が設定してあるが、第１の側板２ａを回動する際に先に起立させている第２の側板２ｂが垂直姿勢でなく、内側に傾く場合があったり、あるいは折り畳み時、第１の側板２ａを回動する際に起立させている第２の側板２ｂが垂直姿勢でなく、内側に傾く場合があり、このような場合にはロック部４のロック棒部２４の先端が第２の側板２ｂの内面に当たることになる。そして、第２の側板２ｂには前述のように軽量化、材料節減、通気等の目的で多数の孔６が形成してあるので、ロック棒部２４の先端が孔６に引っ掛かって第１の側板２ａを回動できなくなるおそれがある。そこで、本発明においては、図１、図２、図４、図７、図９、図１１に示すように多数の孔６を形成した第２の側板２ｂに摺接案内面７を形成してある。この摺接案内面７は、第２の側板２ｂが起立した状態で第１の側板２ａを回動する際にロック部４の先端が描く回動軌跡に対応する第２の側板２ｂの内面部に形成されるものであり、多数の孔６を有する第２の側板２ｂの内面部の両側に円弧状をしたロック棒部２４の先端が摺接しても引っ掛からない円弧状領域７ａを形成し、この円弧状領域が摺接案内面７となっている。上記円弧状領域７ａは添付図面においては円弧状をした一点鎖線イ、ロで挟まれた領域である。ここで、一点鎖線イはロック部４を上方に移動させた上限位置におけるロック部４先端（ロック棒部２４の先端）の上端の描く回動軌跡を示し、一点鎖線ロはロック部４を下方に移動させた下限位置におけるロック部４先端（ロック棒部２４の先端）の下端の描く動軌跡を示している。
【００３６】
この摺接案内面７は円弧状領域７ａの全面が孔６のない非孔あき面であってもよく、円弧状領域７ａ内に孔６があるとしてもロック棒部２４の先端が引っ掛からない程度の小さな孔６（つまりロック棒部２４の先端部よりも小さな孔）や、ロック棒部２４の先端部よりも横巾が狭い縦長の孔６があるものでもよく、あるいは、円弧状領域７ａに隣接して位置するロック棒部２４の先端部よりも大きな孔６の一部が円弧状領域７ａ内にかかっている場合において該孔６の円弧状領域７ａにかかった部分がロック棒部２４の先端部よりも小さいものであってもよく、いずれの場合においても、第１の側板２ａのロック棒部２４が回動する際に第２の側板２ｂの内面部の上記摺動案内面７となっている円弧状領域７ａにロック棒部２４の先端部が当たっても摺動案内面７に沿ってガイドされながら支障なく回動できるものであり、これにより第１の側板２ａの回動の際に第２の側板２ｂが少し内側に傾いた状態で起立していてロック棒部２４の先端が多数の孔６を有する第２の側板２ｂに当たったとしてもスムーズに第１の側板２ａを回動することができるものである。
【００３７】
上記した実施形態においては、ロック部４にばね２９により上方に押し上げるばね力を付与し、ロック受け部５に突出先端面に上下に開口する突出先端開口部９を有し且つ第２の側板２ｂの内面に沿った方向において下部に出し入れ用開口部１０を有する縦断面略Ｌ状をしたＬ状溝部１１が設けた例を示したが、上記実施形態とは逆にロック部４にばね２９により下方に押し上げるばね力を付与し、ロック受け部５に突出先端面に上下に開口する突出先端開口部９を有し且つ第２の側板２ｂの内面に沿った方向において上部に出し入れ用開口部１０を有する縦断面略Ｌ状をしたＬ状溝部１１が設けてもよいものであり、この場合にはＬ状溝部１１の出し入れ用開口部１０の下部に被ロック部３８が設けられることになり、この被ロック部３８の外側壁の外面は傾斜した傾斜導入面３９が形成されるものである。
【００３８】
なお、添付図面に示す実施形態では折り畳みコンテナ３の軽量化、材料節減、通気の目的で底板１、第１の側板２ａ、第２の側板２ｂにいずれも多数の孔６を形成した例で説明したが、本発明においては少なくとも第２の側板２ｂに多数の孔６を形成するものであればよく、第１の側板２ａ、第２の側板２ｂに多数の孔６を形成し且つ底板１に孔６を形成しないもの、あるいは第２の側板２ｂ、底板１に多数の孔６を形成し且つ第１の側板２ａに孔６を形成しないもの、あるいは第２の側板２ｂにのみ孔６を形成し且つ底板１及び第１の側板２ａに孔６を形成しないものであってもよいものである。
【００３９】
また、添付図面に示す実施形態においては一対の第２の側板２ｂの内面部の対向部分に内方及び上方に向けて開口する収納物取り出し用凹所４０を設けてあって、折り畳みコンテナ３内に収納した収納物を取り出す際にこの収納物取り出し用凹所４０に指を入れて収納物を容易に取り出すことができるようにしてある。そして添付図面に示す実施形態では収納物取り出し用凹所４０部分に円弧状領域７ａの一部がかかっているが、この収納物取り出し用凹所４０の円弧状領域７ａがかかった部位においてもロック棒部２４の先端が回動時に摺接しても引っ掛からないように円弧状領域７ａ部分は孔６がない面部分となっている。なお、収納物取り出し用凹所４０の内面部の端縁部（両側端部、下端縁部）は傾斜面４０ａとなっていて、ロック棒部２４が引っ掛からないようになっている。
【００４０】
【発明の効果】
本発明の請求項１記載の発明にあっては、上述のように、第１の側板に側端部から外側方に突出するロック部を設け、第２の側板に起立状態で第１の側板に設けたロック部がはめ込まれるロック受け部を設け、少なくとも第２の側板に多数の孔を形成すると共に、第２の側板が起立して内側にやや傾いた状態で第１の側板を回動する際に該第１の側板の側端部から外側方に突出するロック部の先端が描く回動軌跡に対応する第２の側板の内面部をロック部の先端が摺接移動可能な摺接案内面としてあるので、第１の側板を回動する際に、先に起立させている多数の孔を形成した第２の側板が垂直姿勢でなく、少しでも内側に傾くような姿勢となっていても、第１の側板の側端部から外側方に突出するロック部の先端が第２の側板の内面に当たったとしてもロック部の先端が摺接案内面をガイドとして移動できて孔に引っ掛かることなくスムーズに回動でき、少なくとも第２の側板に多数の孔を形成して軽量化、材料節減、通気等を図るようにした折り畳みコンテナにおいて、組み立て、折り畳みが容易に行えるものであり、しかも、ロック部を第１の側板の側端部から突出させてあるので、第１の側板を起立させてロックするに当たって、ロック部を突出させる操作を必要とせず、操作が容易となるものである。
【００４１】
また、請求項２記載の発明にあっては、上記請求項１記載の発明の効果に加えて、第１の側板の側端部から外側方に突出したロック部を上下移動自在に設け、第２の側板の内面の側端部にロック受け部を突設し、このロック受け部に突出先端面に上下に開口する突出先端開口部を有し且つ第２の側板の内面に沿った方向において上部又は下部に出し入れ用開口部を有する縦断面略Ｌ状をしたＬ状溝部を形成し、第２の側板が起立した状態で第１の側板のロック部をＬ状溝部の出し入れ用開口部から出し入れ自在とし、ロック部がＬ状溝部内に位置した状態でロック部が出し入れ用開口部に対向する位置に位置した状態がロック解除状態、出し入れ用開口部に対向しない位置に位置している状態がロック状態となるように設定したので、ロック部のロック受け部へのロック、ロック解除がいずれもロック部の上下方向の移動により行えるものであり、これにより、第１の側板を回動して起立させたり倒したりするために第１の側板の上端部を手で掴んだまま、指を上下方向に移動させることでロック部を上下方向に移動する動作ができるものであって、簡単な操作で第１の側板の上端部を手で掴んで行う回動操作に連続してロック操作ができると共に、第１の側板の上端部を手で掴んだ状態でロック部を上下方向に移動させてロックを解除させて第１の側板の上端部を手で掴んだまま第そのまま第１の側板を倒す動作を行うことができるものである。
【図面の簡単な説明】
【図１】本発明の折り畳みコンテナの斜視図である。
【図２】同上の折り畳みコンテナを箱状に組み立てた状態の正面図である。
【図３】同上の折り畳みコンテナの箱状に組み立てた状態の側面図である。
【図４】同上の折り畳みコンテナを折り畳んだ状態の平面図である。
【図５】同上の折り畳みコンテナの折り畳んだ状態の側面図である。
【図６】同上の折り畳みコンテナの折り畳んだ状態の断面図である。
【図７】同上の折り畳みコンテナにおいて第１の側板を回動している状態を示す斜視図である。
【図８】同上の折り畳みコンテナの第１の側板の要部斜視図である。
【図９】同上の折り畳みコンテナにおいて第１の側板の回動を示す説明図である。
【図１０】同上の折り畳みコンテナにおいて第２の側板の回動を示す説明図である。
【図１１】同上の折り畳みコンテナの第２の側板を示し、（ａ）は正面図であり、（ｂ）は背面図である。
【図１２】同上のロック部が被ロック部にはめ込まれている状態の断面図である。
【図１３】同上のロック部が出し入れ用開口部に対向している状態の断面図である。
【図１４】同上のロック操作部材の両側にロック部を連結した状態の正面図である。
【図１５】同上のロック操作部材を示し、（ａ）は正面図であり、（ｂ）は断面図である。
【図１６】同上のロック部を示し、（ａ）は正面図であり、（ｂ）は断面図である。
【符号の説明】
１  底板
２ａ  第１の側板
２ｂ  第２の側板
３  折り畳みコンテナ
４  ロック部
５  ロック受け部
６  孔
７  摺接案内面
９  突出先端開口部
１０  出し入れ用開口部
１１  Ｌ状溝部
【図１】
0003911176.tif 000002
【図２】
0003911176.tif 000003
【図３】
0003911176.tif 000004
【図４】
0003911176.tif 000005
【図５】
0003911176.tif 000006
【図６】
0003911176.tif 000007
【図７】
0003911176.tif 000008
【図８】
0003911176.tif 000009
【図９】
0003911176.tif 000010
【図１０】
0003911176.tif 000011
【図１１】
0003911176.tif 000012
【図１２】
0003911176.tif 000013
【図１３】
0003911176.tif 000014
【図１４】
0003911176.tif 000015
【図１５】
0003911176.tif 000016
【図１６】
0003911176.tif 000017